(57)【要約】      （修正有）【課題】Ａ端子用ソケットとＢ端子用ソケットを一体化にしたＵＳＢコネクタを提供する。【解決手段】絶縁本体に上下方向に所定の間隔をおいて底面に４つの第１端子溝が形成される第１舌部１６１と、底面と上面に夫々２つの第２端子溝が形成される第２舌部１７２とを延設する。さらに、前記絶縁本体に設置され、一端が前記第１端子溝に夫々位置すると共に、他端が絶縁本体の底面部に向かって湾曲して該底面部を貫く４つの第１端子と、前記絶縁本体に設置され、一端が前記第２端子溝に夫々位置する。又、他端が絶縁本体の底面部に向かって湾曲して底面部を貫く４つの第２端子と、前記絶縁本体に被包され、前記第１舌部１６１と対応する位置に第１開口が、前記第２舌部１７２と対応する位置に第２開口が形成される側面部５３や上面部５１等からなるケース部材とを備える。【選択図】図１
0003163045.tif 000002
【実用新案登録請求の範囲】
【請求項１】
上面部（１１）、底面部（１２）、前端部（１３）、後端部（１４）及び相対する２つの側面部（１５）を有し、該前端部（１３）に上下方向に所定の間隔をおいて第１収容空間（１６）及び第２収容空間（１７）が形成されると共に、該第１収容空間（１６）及び第２収容空間（１７）の底部から夫々前方に向かって、底面に４つの第１端子溝（１６１１）が形成される第１舌部（１６１）と、底面と上面に夫々２つの第２端子溝（１７２１）が形成される第２舌部（１７２）とが延設され、更に、一端が、４つの第１端子溝（１６１１）と連通すると共に、他端が該後端部（１４）と連通する４つの第１通路（１８１）と、一端が、４つの第２端子溝（１７２１）と連通すると共に、他端が該後端部（１４）と連通する４つの第２通路（１８２）とが形成される絶縁本体（１０）と、
前記第１通路（１８１）に夫々設置され、一端が前記第１端子溝（１６１１）に夫々位置すると共に、他端が絶縁本体（１０）の底面部（１２）に向かって湾曲して該底面部（１２）を貫く４つの第１端子（２０）と、
前記第２通路（１８２）に夫々設置され、一端が前記第２端子溝（１７２１）に夫々位置すると共に、他端が絶縁本体（１０）の底面部（１２）に向かって湾曲して底面部（１２）を貫く４つの第２端子（３０）と、
前記絶縁本体（１０）に被包され、前記第１収容空間（１６）と対応する位置に第１開口（５２１）が、前記第２収容空間（１７）と対応する位置に第２開口（５２２）が形成されるケース部材（５０）とを備えることを特徴とするＵＳＢコネクタ。
【請求項２】
前記絶縁本体（１０）における第１収容空間（１６）の底部から、前記第１舌部（１６１）と所定の間隔をおいて上下方向に配置されるように、上面に少なくとも１つの下部弾性プレート収容溝（１６２１）が形成される第３舌部（１６２）が前方に向かって延設されると共に、絶縁本体（１０）の２つの側面部（１５）における第３舌部（１６２）と対応する位置に夫々凹陥部（１５１）が形成され、該各凹陥部（１５１）の底部に夫々係合ブロック（１５２）が設けられ、
更に前記第３舌部（１６２）に嵌め込まれ、第３舌部（１６２）における、下部弾性プレート収容溝（１６２１）と対応する位置に第１下部弾性プレート（４１）が設けられると共に、前記２つの凹陥部（１５１）に位置し、該凹陥部（１５１）における係合ブロック（１５２）に係合される係合穴（４２１）を有する２つの翼片（４２）が延設される、中空の位置決めカバー（４０）を備えることを特徴とする請求項１に記載のＵＳＢコネクタ。
【請求項３】
前記絶縁本体（１０）の後端部（１４）に、上下方向に所定の間隔をおいて上部収容室（１４１）と下部収容室（１４２）が形成されると共に、該上部収容室（１４１）、下部収容室（１４２）及び絶縁本体（１０）の底面部（１２）と連通する４つの第１縦溝（１４３）と、該下部収容室（１４２）と絶縁本体（１０）の底面部（１２）と連通する２つの第２縦溝（１４４）が形成され、前記第１通路（１８１）と第２通路（１８２）の他端は夫々、該上部収容室（１４１）と下部収容室（１４２）と連通し、
前記４つの第１端子（２０）の他端が夫々、１つの前記第１縦溝（１４３）に位置し、
前記４つの第２端子（３０）の内の２つの第２端子（３０）の他端が、前記２つの第２縦溝（１４４）の何れか一方に位置すると共に、他の２つの第２端子（３０）の他端が、他方の第２縦溝（１４４）に位置することを特徴とする請求項２に記載のＵＳＢコネクタ。
【請求項４】
前記絶縁本体（１０）における４つの第２通路（１８２）は上下に２列に配列され、各列に２つの第２通路（１８２）が形成されると共に、絶縁本体（１０）における２つの第２縦溝（１４４）は夫々、１つの第１縦溝（１４３）に連通し、
前記４つの第２端子（３０）の内、下列の第２通路（１８２）に設置される２つの第２端子（３０）の他端は夫々、１つの第２縦溝（１４４）に位置すると共に、上列の第２通路（１８２）に設置される２つの第２端子（３０）の他端は夫々、１つの第２縦溝（１４４）に位置することを特徴とする請求項３に記載のＵＳＢコネクタ。
【請求項５】
前記ケース部材（５０）は、前記絶縁本体（１０）の上面部（１１）、前端部（１３）及び２つの側面部（１５）と夫々対応する上面部（５１）、前端部（５２）及び２つの側面部（５３）を有し、該前端部（５２）に前記第１開口（５２１）と第２開口（５２２）が形成されると共に、該上面部（５１）における、第１収容空間（１６）内の第１舌部（１６１）と対応する位置に少なくとも１つの第１上部弾性プレート（５１１）が設けられ、更に、該２つの側面部（５３）における、第１収容空間（１６）内の第１舌部（１６１）と対応する位置に夫々、少なくとも１つの第１側部弾性プレート（５３１）が設けられることを特徴とする請求項１乃至４の何れか一項に記載のＵＳＢコネクタ。
【請求項６】
前記絶縁本体（１０）における、第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項１乃至４の何れか一項に記載のＵＳＢコネクタ。
【請求項７】
前記絶縁本体（１０）における第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項５に記載のＵＳＢコネクタ。
【請求項８】
前記ケース部材（５０）における第１開口（５２１）から、位置決めカバー（４０）の下方に位置する位置決めプレート（５２３）が延設されることを特徴とする請求項５又は６に記載のＵＳＢコネクタ。
【請求項９】
前記絶縁本体（１０）の底面部（１２）に、所定の間隔をおいて前端部（１３）から後端部（１４）まで貫通する２つのフック溝（１２１）が形成され、
前記ケース部材（５０）における２つの側面部（５３）の底部に夫々、前記フック溝（１２１）に位置する少なくとも１つのフック（５３２）が設けられることを特徴とする請求項５又は７に記載のＵＳＢコネクタ。
【請求項１０】
前記４つの第１端子（２０）と４つの第２端子（３０）がＵＳＢ２．０の規格に準拠することを特徴とする請求項１乃至９の何れか一項に記載のＵＳＢコネクタ。
【考案の詳細な説明】
【技術分野】
【０００１】
本考案は、特にＵＳＢ２．０の規格に準拠したコネクタに関するものである。
【背景技術】
【０００２】
ＵＳＢ（Universal Serial Bus）規格のコネクタは、様々な電子機器に広く採用されているインターフェースであり、ＵＳＢ規格においては主に、Ａ端子とＢ端子とに分けられ、その内、Ａ端子用ソケットは、コンピュータ側に接続されるものであるのに対し、Ｂ端子用ソケットは、例えばデジタルカメラやプリンタなどの周辺機器側に接続されるものであり、それらＡ端子用ソケットとＢ端子用ソケットとを、対応するＡプラグとＢプラグを具備するケーブルと接続することで、コンピュータと周辺機器とにおいてデータのやり取りを行う。
【０００３】
また、周辺機器は、コンピュータとだけでなく、場合によっては周辺機器同士でデータの交換を行うこともあり、例えば、PictBridge規格に対応しているプリンタには、更にＡ端子用ソケットが実装されており、これによってケーブルでデジタルカメラとプリンタとを接続することができるので、コンピューターを介することなく撮影した画像を直接にプリントすることができる。
【０００４】
【考案の開示】
【考案が解決しようとする課題】
【０００５】
しかしながら、Ａ端子用ソケットを実装するには手間がかかるだけでなく、回路板において実装用の面積が足りない場合には、より大きな回路板を使用しなければならないので、プリンタの生産コストが増大してしまうといった問題があった。
【０００６】
そこで、案出されたのが本考案であって、Ａ端子用ソケットとＢ端子用ソケットを一体化させることにより、実装する際の手間を省くと共に、回路板においての使用面積の占有率を減少できるＵＳＢコネクタを提供することを目的としている。
【課題を解決するための手段】
【０００７】
本願の請求項１の考案は、上面部（１１）、底面部（１２）、前端部（１３）、後端部（１４）及び相対する２つの側面部（１５）を有し、該前端部（１３）に上下方向に所定の間隔をおいて第１収容空間（１６）及び第２収容空間（１７）が形成されると共に、該第１収容空間（１６）及び第２収容空間（１７）の底部から夫々前方に向かって、底面に４つの第１端子溝（１６１１）が形成される第１舌部（１６１）と、底面と上面に夫々２つの第２端子溝（１７２１）が形成される第２舌部（１７２）とが延設され、更に、一端が、４つの第１端子溝（１６１１）と連通すると共に、他端が該後端部（１４）と連通する４つの第１通路（１８１）と、一端が、４つの第２端子溝（１７２１）と連通すると共に、他端が該後端部（１４）と連通する４つの第２通路（１８２）とが形成される絶縁本体（１０）と、
前記第１通路（１８１）に夫々設置され、一端が前記第１端子溝（１６１１）に夫々位置すると共に、他端が絶縁本体（１０）の底面部（１２）に向かって湾曲して該底面部（１２）を貫く４つの第１端子（２０）と、
前記第２通路（１８２）に夫々設置され、一端が前記第２端子溝（１７２１）に夫々位置すると共に、他端が絶縁本体（１０）の底面部（１２）に向かって湾曲して底面部（１２）を貫く４つの第２端子（３０）と、
前記絶縁本体（１０）に被包され、前記第１収容空間（１６）と対応する位置に第１開口（５２１）が、前記第２収容空間（１７）と対応する位置に第２開口（５２２）が形成されるケース部材（５０）とを備えることを特徴とするＵＳＢコネクタ、を提供する。
【０００８】
本願の請求項２の考案は、前記絶縁本体（１０）における第１収容空間（１６）の底部から、前記第１舌部（１６１）と所定の間隔をおいて上下方向に配置されるように、上面に少なくとも１つの下部弾性プレート収容溝（１６２１）が形成される第３舌部（１６２）が前方に向かって延設されると共に、絶縁本体（１０）の２つの側面部（１５）における第３舌部（１６２）と対応する位置に夫々凹陥部（１５１）が形成され、該各凹陥部（１５１）の底部に夫々係合ブロック（１５２）が設けられ、
更に前記第３舌部（１６２）に嵌め込まれ、第３舌部（１６２）における、下部弾性プレート収容溝（１６２１）と対応する位置に第１下部弾性プレート（４１）が設けられると共に、前記２つの凹陥部（１５１）に位置し、該凹陥部（１５１）における係合ブロック（１５２）に係合される係合穴（４２１）を有する２つの翼片（４２）が延設される、中空の位置決めカバー（４０）を備えることを特徴とする請求項１に記載のＵＳＢコネクタ、を提供する。
【０００９】
本願の請求項３の考案は、前記絶縁本体（１０）の後端部（１４）に、上下方向に所定の間隔をおいて上部収容室（１４１）と下部収容室（１４２）が形成されると共に、該上部収容室（１４１）、下部収容室（１４２）及び絶縁本体（１０）の底面部（１２）と連通する４つの第１縦溝（１４３）と、該下部収容室（１４２）と絶縁本体（１０）の底面部（１２）と連通する２つの第２縦溝（１４４）が形成され、前記第１通路（１８１）と第２通路（１８２）の他端は夫々、該上部収容室（１４１）と下部収容室（１４２）と連通し、
前記４つの第１端子（２０）の他端が夫々、１つの前記第１縦溝（１４３）に位置し、
前記４つの第２端子（３０）の内の２つの第２端子（３０）の他端が、前記２つの第２縦溝（１４４）の何れか一方に位置すると共に、他の２つの第２端子（３０）の他端が、他方の第２縦溝（１４４）に位置することを特徴とする請求項２に記載のＵＳＢコネクタ、を提供する。
【００１０】
本願の請求項４の考案は、前記絶縁本体（１０）における４つの第２通路（１８２）は上下に２列に配列され、各列に２つの第２通路（１８２）が形成されると共に、絶縁本体（１０）における２つの第２縦溝（１４４）は夫々、１つの第１縦溝（１４３）に連通し、
前記４つの第２端子（３０）の内、下列の第２通路（１８２）に設置される２つの第２端子（３０）の他端は夫々、１つの第２縦溝（１４４）に位置すると共に、上列の第２通路（１８２）に設置される２つの第２端子（３０）の他端は夫々、１つの第２縦溝（１４４）に位置することを特徴とする請求項３に記載のＵＳＢコネクタ、を提供する。
【００１１】
本願の請求項５の考案は、前記ケース部材（５０）は、前記絶縁本体（１０）の上面部（１１）、前端部（１３）及び２つの側面部（１５）と夫々対応する上面部（５１）、前端部（５２）及び２つの側面部（５３）を有し、該前端部（５２）に前記第１開口（５２１）と第２開口（５２２）が形成されると共に、該上面部（５１）における、第１収容空間（１６）内の第１舌部（１６１）と対応する位置に少なくとも１つの第１上部弾性プレート（５１１）が設けられ、更に、該２つの側面部（５３）における、第１収容空間（１６）内の第１舌部（１６１）と対応する位置に夫々、少なくとも１つの第１側部弾性プレート（５３１）が設けられることを特徴とする請求項１乃至４の何れか一項に記載のＵＳＢコネクタ、を提供する。
【００１２】
本願の請求項６の考案は、前記絶縁本体（１０）における、第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項１乃至４の何れか一項に記載のＵＳＢコネクタ、を提供する。
【００１３】
本願の請求項７の考案は、前記絶縁本体（１０）における第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項５に記載のＵＳＢコネクタ、を提供する。
【００１４】
本願の請求項８の考案は、前記ケース部材（５０）における第１開口（５２１）から、位置決めカバー（４０）の下方に位置する位置決めプレート（５２３）が延設されることを特徴とする請求項５又は６に記載のＵＳＢコネクタ。
【００１５】
本願の請求項９の考案は、前記絶縁本体（１０）の底面部（１２）に、所定の間隔をおいて前端部（１３）から後端部（１４）まで貫通する２つのフック溝（１２１）が形成され、
前記ケース部材（５０）における２つの側面部（５３）の底部に夫々、前記フック溝（１２１）に位置する少なくとも１つのフック（５３２）が設けられることを特徴とする請求項５又は７に記載のＵＳＢコネクタ、を提供する。
【００１６】
本願の請求項１０の考案は、前記４つの第１端子（２０）と４つの第２端子（３０）がＵＳＢ２．０の規格に準拠することを特徴とする請求項１乃至９の何れか一項に記載のＵＳＢコネクタ、を提供する。
【考案の効果】
【００１７】
本考案は上記の課題を解決するものであり、Ａ端子用ソケットとＢ端子用ソケットの絶縁本体を上下に重合して一体化にし、１つのケース部材で絶縁本体を被包することから、回路板に実装する作業が一回で済むだけでなく、回路板においての使用面積の占有率を減少できるので、周辺機器の生産コストを削減することができる。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係るＵＳＢコネクタの斜視図であり、図２は本考案に係るＵＳＢコネクタの平面視分解斜視図であり、図３は本考案に係るＵＳＢコネクタの底面視分解斜視図であり、図４及び図５は本考案に係るＵＳＢコネクタの断面図である。
【００２０】
図１乃至図３に示すように、本考案に係るＵＳＢコネクタは、絶縁本体（１０）と、４つの第１端子（２０）と、４つの第２端子（３０）と、位置決めカバー（４０）と、ケース部材（５０）とを備える。
【００２１】
前記絶縁本体（１０）は、上面部（１１）、底面部（１２）、前端部（１３）、後端部（１４）及び相対する２つの側面部（１５）を有し、該前端部（１３）に上下方向に所定の間隔をおいて第１収容空間（１６）及び第２収容空間（１７）が形成され、該第１収容空間（１６）は、ＵＳＢ規格であるＡ端子用プラグが挿入されるものであり、底部から、第１舌部（１６１）と第３舌部（１６２）とが上下方向に所定の間隔をおいて前方に延設され、一方、該第２収容空間（１７）は、Ｂ端子用プラグが挿入されるためのものであり、相対する両側面に夫々第２弾性プレート収容溝（１７１）が形成されると共に、底部から第２舌部（１７２）が前方に延出され、前記第１舌部（１６１）の底面に４つの第１端子溝（１６１１）が形成され、該第２舌部（１７２）の底面と上面に夫々２つの第２端子溝（１７２１）が形成され、前記第３舌部（１６２）の上面に少なくとも１つの下部弾性プレート収容溝（１６２１）が形成される。尚、本実施例においては、前記第３舌部（１６２）の上面に２つの下部弾性プレート収容溝（１６２１）が形成される。
【００２２】
前記絶縁本体（１０）の後端部（１４）に、上下方向に所定の間隔をおいて上部収容室（１４１）と下部収容室（１４２）が形成されると共に、該上部収容室（１４１）、下部収容室（１４２）及び絶縁本体（１０）の底面部（１２）と連通する４つの第１縦溝（１４３）と、該下部収容室（１４２）と絶縁本体（１０）の底面部（１２）と連通する２つの第２縦溝（１４４）が形成される。尚、本実施例においては、前記２つの第２縦溝（１４４）が夫々、１つの第１縦溝（１４３）と連通する。
また、図４及び図５に示すように、絶縁本体（１０）には、４つの第１通路（１８１）と４つの第２通路（１８２）が形成され、該４つの第１通路（１８１）は一列に配列され、その一端が４つの第１端子溝（１６１１）と夫々連通すると共に、他端が上部収容室（１４１）と連通し、一方、該４つの第２通路（１８２）は、各列に２つの第２通路（１８２）が形成されるように上下に２列に配列され、その一端が４つの第２端子溝（１７２１）と夫々連通すると共に、他端が下部収容室（１４２）と連通する。
【００２３】
更に、前記絶縁本体（１０）の２つの側面部（１５）における、第３舌部（１６２）と対応する位置に夫々凹陥部（１５１）が形成され、該各凹陥部（１５１）の底部に夫々係合ブロック（１５２）が設けられると共に、該絶縁本体（１０）の底面部（１２）に、所定の間隔をおいて前端部（１３）から後端部（１４）まで貫通する２つのフック溝（１２１）が形成される。
【００２４】
前記４つの第１端子（２０）は夫々前記第１通路（１８１）に設置され、その一端がそれぞれ第１端子溝（１６１１）に位置すると共に、他端がそれぞれ絶縁本体（１０）の底面部（１２）に向かって湾曲して底面部（１２）を貫くように第１縦溝（１４３）に位置する。尚、それらの第１端子（２０）はＵＳＢ２．０の規格に準拠する。
【００２５】
前記４つの第２端子（３０）は夫々、前記第２通路（１８２）に設置され、一端が第２端子溝（１７２１）に夫々位置すると共に、他端が絶縁本体（１０）の底面部（１２）に向かって湾曲して底面部（１２）を貫き、また、４つの第２端子（３０）の内、下列の第２通路（１８２）に設置される２つの第２端子（３０）の他端が夫々、１つの第２縦溝（１４４）に位置すると共に、上列の第２通路（１８２）に設置される２つの第２端子（３０）の他端が夫々、１つの第２縦溝（１４４）に位置する構成を有する。尚、それらの第２端子（３０）はＵＳＢ２．０の規格に準拠する。
【００２６】
前記位置決めカバー（４０）は中空であり、第３舌部（１６２）に嵌め込まれ、該第３舌部（１６２）における、下部弾性プレート収容溝（１６２１）と対応する位置に第１下部弾性プレート（４１）が設けられると共に、前記２つの凹陥部（１５１）に位置する２つの翼片（４２）が延設され、該第１下部弾性プレート（４１）は、第１収容空間（１６）にＡ端子用プラグと接続され、且つＡ端子用プラグを第１収容空間（１６）内に位置決めさせるためのものであり、該２つの翼片（４２）は夫々、該凹陥部（１５１）における係合ブロック（１５２）に係合可能な係合穴（４２１）を有するものであり、該係合穴（４２１）を係合ブロック（１５２）に係合させることによって位置決めカバー（４０）の絶縁本体（１０）からの脱落を防止する。
【００２７】
前記ケース部材（５０）は、絶縁本体（１０）に被包され、該絶縁本体（１０）の上面部（１１）、前端部（１３）及び２つの側面部（１５）と夫々対応する上面部（５１）、前端部（５２）及び２つの側面部（５３）を有し、該前端部（５２）における第１収容空間（１６）と対応する位置に第１開口（５２１）が、第２収容空間（１７）と対応する位置に第２開口（５２２）が形成されると共に、該前端部（５２）における第１開口（５２１）から位置決めプレート（５２３）が、該第２開口（５２２）から２つの第２弾性プレート（５２４）が延設され、該位置決めプレート（５２３）は、前記位置決めカバー（４０）の下方に位置し、該２つの第２弾性プレート（５２４）は、第２収容空間（１７）内における２つの第２弾性プレート収容溝（１７１）の位置と対応している。
【００２８】
また、前記ケース部材（５０）の上面部（５１）における、第１収容空間（１６）内の第１舌部（１６１）に対応する位置に少なくとも１つの第１上部弾性プレート（５１１）が設けられると共に、該ケース部材（５０）の２つの側面部（５３）における、第１収容空間（１６）内の第１舌部（１６１）に対応する位置に夫々、少なくとも１つの第１側部弾性プレート（５３１）が設けられ、更に、該ケース部材（５０）における２つの側面部（５３）の底部に夫々、少なくとも１つのフック（５３２）が設けられ、それらの第１上部弾性プレート（５１１）、第１側部弾性プレート（５３１）及び第２弾性プレート（５２４）は、第１収容空間（１６）にＡ端子用プラグが挿入される時、又は第２収容空間（１７）にＢ端子用プラグが挿入される時にプラグコネクタに当接され、それによりプラグコネクタを第１収容空間（１６）又は第２収容空間（１７）内に位置決めさせるものであり、また、該ケース部材（５０）の２つの側面部（５３）の底部におけるフック（５３２）は夫々、絶縁本体（１０）の底面部（１２）における１つのフック溝（１２１）に位置し、これによってケース部材（５０）の底部からの絶縁本体（１０）の脱落を防止する。
【００２９】
本考案において、Ａ端子用ソケットとＢ端子用ソケットの絶縁本体（１０）とは上下に重合されて１つの部材として構成され、該絶縁本体（１０）は、１つのケース部材（５０）により被包され、絶縁本体（１０）における第１収容空間（１６）と第２収容空間（１７）に夫々、Ａ端子用プラグとＢ端子用プラグを挿入することができると共に、該Ａ端子用プラグとＢ端子用プラグは夫々、第１収容空間（１６）に設置される第１端子（２０）と第２収容空間（１７）に設置される第２端子（３０）とを接続することができる。故に、従来の構成によれば、Ａ端子用ソケットとＢ端子用ソケットを別個に製造することから、実装の際に手間がかかり、回路板においてより多い面積を占有してしまうのに対し、本考案は、Ａ端子用ソケットとＢ端子用ソケットを一体に製造することから、実装の際の作業が一回の作業で済むだけでなく、回路板においての使用面積の占有率を減少できるので、本考案を採用すれば周辺機器の生産コストの削減を図ることができる。
【図面の簡単な説明】
【００３０】
【図１】本考案に係るＵＳＢコネクタの斜視図である。
【図２】本考案に係るＵＳＢコネクタの平面視分解斜視図である。
【図３】本考案に係るＵＳＢコネクタの底面視分解斜視図である。
【図４】本考案に係るＵＳＢコネクタの断面図である。
【図５】本考案に係るＵＳＢコネクタの断面図である。
【符号の説明】
【００３１】
１０        絶縁本体
１１        上面部
１２        底面部
１２１      フック溝
１３        前端部
１４        後端部
１４１      上部収容室
１４２      下部収容室
１４３      第１縦溝
１４４      第２縦溝
１５        側面部
１５１      凹陥部
１５２      係合ブロック
１６        第１収容空間
１６１      第１舌部
１６１１    第１端子溝
１６２      第３舌部
１６２１    下部弾性プレート収容溝
１７        第２収容空間
１７１      第２弾性プレート収容溝
１７２      第２舌部
１７２１    第２端子溝
１８１      第１通路
１８２      第２通路
２０        第１端子
３０        第２端子
４０        位置決めカバー
４１        第１下部弾性プレート
４２        翼片
４２１      係合穴
５０        ケース部材
５１        上面部
５１１      第１上部弾性プレート
５２        前端部
５２１      第１開口
５２２      第２開口
５２３      位置決めプレート
５２４      第２弾性プレート
５３        側面部
５３１      第１側部弾性プレート
５３２      フック 
【図１】
0003163045.tif 000003
【図２】
0003163045.tif 000004
【図３】
0003163045.tif 000005
【図４】
0003163045.tif 000006
【図５】
0003163045.tif 000007
【手続補正書】
【提出日】平成22年7月22日(2010.7.22)
【手続補正１】
【補正対象書類名】実用新案登録請求の範囲
【補正対象項目名】全文
【補正方法】変更
【補正の内容】
【実用新案登録請求の範囲】
【請求項１】
上面部（１１）、底面部（１２）、前端部（１３）、後端部（１４）及び相対する２つの側面部（１５）を有し、該前端部（１３）に上下方向に所定の間隔をおいて第１収容空間（１６）及び第２収容空間（１７）が形成されると共に、該第１収容空間（１６）及び第２収容空間（１７）の底部から夫々前方に向かって、底面に４つの第１端子溝（１６１１）が形成される第１舌部（１６１）と、底面と上面に夫々２つの第２端子溝（１７２１）が形成される第２舌部（１７２）とが延設され、更に、一端が、４つの第１端子溝（１６１１）と連通すると共に、他端が該後端部（１４）と連通する４つの第１通路（１８１）と、一端が、４つの第２端子溝（１７２１）と連通すると共に、他端が該後端部（１４）と連通する４つの第２通路（１８２）とが形成される絶縁本体（１０）と、
前記第１通路（１８１）に夫々設置され、一端が前記第１端子溝（１６１１）に夫々位置すると共に、他端が絶縁本体（１０）の底面部（１２）に向かって湾曲して該底面部（１２）を貫く４つの第１端子（２０）と、
前記第２通路（１８２）に夫々設置され、一端が前記第２端子溝（１７２１）に夫々位置すると共に、他端が絶縁本体（１０）の底面部（１２）に向かって湾曲して底面部（１２）を貫く４つの第２端子（３０）と、
前記絶縁本体（１０）に被包され、前記第１収容空間（１６）と対応する位置に第１開口（５２１）が、前記第２収容空間（１７）と対応する位置に第２開口（５２２）が形成されるケース部材（５０）とを備えることを特徴とするＵＳＢコネクタ。
【請求項２】
前記絶縁本体（１０）における第１収容空間（１６）の底部から、前記第１舌部（１６１）と所定の間隔をおいて上下方向に配置されるように、上面に少なくとも１つの下部弾性プレート収容溝（１６２１）が形成される第３舌部（１６２）が前方に向かって延設されると共に、絶縁本体（１０）の２つの側面部（１５）における第３舌部（１６２）と対応する位置に夫々凹陥部（１５１）が形成され、該各凹陥部（１５１）の底部に夫々係合ブロック（１５２）が設けられ、
更に前記第３舌部（１６２）に嵌め込まれ、第３舌部（１６２）における、下部弾性プレート収容溝（１６２１）と対応する位置に第１下部弾性プレート（４１）が設けられると共に、前記２つの凹陥部（１５１）に位置し、該凹陥部（１５１）における係合ブロック（１５２）に係合される係合穴（４２１）を有する２つの翼片（４２）が延設される、中空の位置決めカバー（４０）を備えることを特徴とする請求項１に記載のＵＳＢコネクタ。
【請求項３】
前記絶縁本体（１０）の後端部（１４）に、上下方向に所定の間隔をおいて上部収容室（１４１）と下部収容室（１４２）が形成されると共に、該上部収容室（１４１）、下部収容室（１４２）及び絶縁本体（１０）の底面部（１２）と連通する４つの第１縦溝（１４３）と、該下部収容室（１４２）と絶縁本体（１０）の底面部（１２）と連通する２つの第２縦溝（１４４）が形成され、前記第１通路（１８１）と第２通路（１８２）の他端は夫々、該上部収容室（１４１）と下部収容室（１４２）と連通し、
前記４つの第１端子（２０）の他端が夫々、１つの前記第１縦溝（１４３）に位置し、
前記４つの第２端子（３０）の内の２つの第２端子（３０）の他端が、前記２つの第２縦溝（１４４）の何れか一方に位置すると共に、他の２つの第２端子（３０）の他端が、他方の第２縦溝（１４４）に位置することを特徴とする請求項２に記載のＵＳＢコネクタ。
【請求項４】
前記絶縁本体（１０）における４つの第２通路（１８２）は上下に２列に配列され、各列に２つの第２通路（１８２）が形成されると共に、絶縁本体（１０）における２つの第２縦溝（１４４）は夫々、１つの第１縦溝（１４３）に連通し、
前記４つの第２端子（３０）の内、下列の第２通路（１８２）に設置される２つの第２端子（３０）の他端は夫々、１つの第２縦溝（１４４）に位置すると共に、上列の第２通路（１８２）に設置される２つの第２端子（３０）の他端は夫々、１つの第２縦溝（１４４）に位置することを特徴とする請求項３に記載のＵＳＢコネクタ。
【請求項５】
前記ケース部材（５０）は、前記絶縁本体（１０）の上面部（１１）、前端部（１３）及び２つの側面部（１５）と夫々対応する上面部（５１）、前端部（５２）及び２つの側面部（５３）を有し、該前端部（５２）に前記第１開口（５２１）と第２開口（５２２）が形成されると共に、該上面部（５１）における、第１収容空間（１６）内の第１舌部（１６１）と対応する位置に少なくとも１つの第１上部弾性プレート（５１１）が設けられ、更に、該２つの側面部（５３）における、第１収容空間（１６）内の第１舌部（１６１）と対応する位置に夫々、少なくとも１つの第１側部弾性プレート（５３１）が設けられることを特徴とする請求項２乃至４の何れか一項に記載のＵＳＢコネクタ。
【請求項６】
前記絶縁本体（１０）における、第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項２乃至４の何れか一項に記載のＵＳＢコネクタ。
【請求項７】
前記絶縁本体（１０）における第２収容空間（１７）の相対する両側面に夫々第２弾性プレート収容溝（１７１）が形成され、
前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項５に記載のＵＳＢコネクタ。
【請求項８】
前記ケース部材（５０）における第１開口（５２１）から、位置決めカバー（４０）の下方に位置する位置決めプレート（５２３）が延設されることを特徴とする請求項５又は６に記載のＵＳＢコネクタ。
【請求項９】
前記絶縁本体（１０）の底面部（１２）に、所定の間隔をおいて前端部（１３）から後端部（１４）まで貫通する２つのフック溝（１２１）が形成され、
前記ケース部材（５０）における２つの側面部（５３）の底部に夫々、前記フック溝（１２１）に位置する少なくとも１つのフック（５３２）が設けられることを特徴とする請求項５又は７に記載のＵＳＢコネクタ。
【請求項１０】
前記４つの第１端子（２０）と４つの第２端子（３０）がＵＳＢ２．０の規格に準拠することを特徴とする請求項１乃至９の何れか一項に記載のＵＳＢコネクタ。
【手続補正２】
【補正対象書類名】明細書
【補正対象項目名】００１１
【補正方法】変更
【補正の内容】
【００１１】
請求項５の考案は、前記ケース部材（５０）は、前記絶縁本体（１０）の上面部（１１）、前端部（１３）及び２つの側面部（１５）と夫々対応する上面部（５１）、前端部（５２）及び２つの側面部（５３）を有し、該前端部（５２）に前記第１開口（５２１）と第２開口（５２２）が形成されると共に、該上面部（５１）における、第１収容空間（１６）内の第１舌部（１６１）と対応する位置に少なくとも１つの第１上部弾性プレート（５１１）が設けられ、更に、該２つの側面部（５３）における、第１収容空間（１６）内の第１舌部（１６１）と対応する位置に夫々、少なくとも１つの第１側部弾性プレート（５３１）が設けられることを特徴とする請求項２乃至４の何れか一項に記載のＵＳＢコネクタ、を提供する。
【手続補正３】
【補正対象書類名】明細書
【補正対象項目名】００１２
【補正方法】変更
【補正の内容】
【００１２】
請求項６の考案は、前記絶縁本体（１０）における、第２収容空間（１７）の相対する両側面に夫々第２弾性プレート収容溝（１７１）が形成され、前記ケース部材（５０）における第２開口（５２２）から第２収容空間（１７）に向かって２つの第２弾性プレート（５２４）が延設され、該２つの第２弾性プレート（５２４）は、第２収容空間（１７）内における、２つの第２弾性プレート収容溝（１７１）と対応する位置に設けられることを特徴とする請求項２乃至４の何れか一項に記載のＵＳＢコネクタ、を提供する。